(57)【特許請求の範囲】
【請求項１】
光を発生するランプユニット、
前記光の入射を受ける側面と、入射された光を反射する反射面と、前記入射された光及び反射された光を射出する射出面とを含み、前記光をガイドし、前記側面のうちの少なくとも一つの側面に一つ以上の固定凹所が形成された導光ユニット、
基底面と、前記ランプユニット及び導光ユニットを収納する収納空間が形成されるように、前記基底面から延びられた側壁と、前記固定凹所に結合するために前記側壁から前記固定空間に向かって突出した一つ以上の固定突起とを備えて、前記側壁には前記固定突起が形成された領域に対応し、外部ケースと締結するための一つ以上の締結孔が形成された第１収納容器、
前記第１収納容器に定着され、前記導光ユニットからガイドされた光の提供を受けて映像を表示するための液晶表示パネル、及び
前記液晶表示パネルを加圧する上部面と、前記上部面から延び前記第１収納容器と結合する第１側壁面とを備えて、前記液晶表示パネルを前記第１収納容器に固定し、前記第１収納容器の前記締結孔に対応する位置に締結凹所が形成された第２収納容器を含むことを特徴とする液晶表示装置。
【請求項２】
前記第１及び第２収納容器を上部外部ケースと結合するために、前記第２収納容器の第１締結凹所及び前記第１収納容器の第１締結孔に順次締結されるスクリューをさらに含むことを特徴とする請求項１に記載の液晶表示装置。
【請求項３】
前記液晶表示装置は、
前記導光ユニットが定着される定着面と、前記導光ユニットの側面と向き合うように前記定着面から延びる第３側壁面とを含み、前記第３側壁面に前記第１収納容器の固定突起と前記側面が向き合うように前記固定突起を露出する開口部が形成された第３収納容器をさらに含むことを特徴とする請求項１に記載の液晶表示装置。
【請求項４】
前記第３収納容器は、前記第３側壁面から外側に延び、第１締結孔が形成された固定部をさらに含むことを特徴とする請求項３に記載の液晶表示装置。
【請求項５】
前記第２収納容器の上部面には、前記第３収納容器の前記第１締結孔に対応する位置に第３締結孔が形成されたことを特徴とする請求項４に記載の液晶表示装置。
【請求項６】
外部装置から提供される電気的信号により前記液晶表示パネルを駆動するための第１コネクタ及び前記第１コネクタに電気信号を供給するために第１コネクタと前記外部装置との間に連結された第２コネクタからなる駆動部をさらに含むことを特徴とする請求項３に記載の液晶表示装置。
【請求項７】
前記第３収納容器は、
背面から突出し前記駆動部を支持するための第１支持部と、
前記第１支持部から突出し前記駆動部の前記第２コネクタを支持するための第２支持部とをさらに含むことを特徴とする請求項６に記載の液晶表示装置。
【請求項８】
外部から提供される電気信号により前記液晶表示パネルを駆動するためのコネクタを有する駆動部をさらに含むことを特徴とする請求項３に記載の液晶表示装置。
【請求項９】
前記駆動部は前記締結凹所と対応する位置に形成された一つ以上の貫通ホールを備え、前記第１収納容器の側壁に沿って配置されることを特徴とする請求項８に記載の液晶表示装置。
【請求項１０】
前記第１、第２収納容器及び駆動部は、前記ケースを貫通したスクリューが前記第２収納容器の前記締結凹所、前記駆動部の前記貫通ホール及び前記第１収納容器の前記締結孔に順次締結されることにより前記ケースと結合することを特徴とする請求項９に記載の液晶表示装置。
【請求項１１】
前記射出面から射出された光の輝度分布を均一にして、前記液晶表示パネルに提供するための本体部と、前記本体部から延び前記固定突起に結合される固定部とを含む一つ以上の光学シート、及び
前記第１収納容器上に備えられて前記固定部を加圧し、前記液晶表示パネルが定着される第４収納容器をさらに含むことを特徴とする請求項１に記載の液晶表示装置。
【請求項１２】
前記第１収納容器は前記側壁の上面から突出されたモールド固定突起をさらに備え、前記第４収納容器に前記モールド固定突起と結合するための収納凹所が形成されたことを特徴とする請求項１１に記載の液晶表示装置。
【請求項１３】
前記第４収納容器は、前記光が外部に漏洩することを防止するために第１光反射率を有し、前記加圧部には前記光学シートを固定し、前記光を本体部に反射するために前記第１光反射率より大きい第２光反射率を有する接着部材が取り付けられることを特徴とする請求項１１に記載の液晶表示装置。
【請求項１４】
前記第４収納容器は接着部材の光反射率より小さい光反射率を有することを特徴とする請求項１３に記載の液晶表示装置。
【請求項１５】
前記外部ケースは、
前記液晶表示モジュールを収納するリアケースと、
前記液晶表示モジュールの有効ディスプレー領域に対応する部分が開口されている、前記リアケースと結合するフロントケースとを含むことを特徴とする請求項１に記載の液晶表示装置。
【請求項１６】
前記フロントケースと前記リアケースのうちのいずれか一つには、前記第１締結凹所及び第１締結孔と結合するための第２締結孔が形成されたことを特徴とする請求項１５に記載の液晶表示装置。
【請求項１７】
前記外部ケースと液晶表示モジュールは、前記第２締結孔、前記締結凹所及び前記第１締結孔に順次締結されるスクリューにより結合されることを特徴とする請求項１６に記載の液晶表示装置。
【請求項１８】
光を発生するランプユニットと、
前記光の入射を受ける側面、入射された光を反射する反射面、前記入射された光及び反射された光を射出する射出面を含み、前記光をガイドし、前記側面のうちの少なくとも一つの側面に少なくとも一つの固定凹所が形成された導光ユニットと、
前記ランプユニット及び導光ユニットを収納する第１ 収納空間を提供する第１側壁、前記第１側壁から前記第１収納空間に向かって突出され前記固定凹所に結合してシート固定突起を有する少なくとも一つの固定突起、及び前記第１側壁に前記固定突起と対応して形成された少なくとも一つの締結凹所を具備して、前記ランプユニット及び前記導光ユニットを外部ケースに固定する第１収納容器と、
前記導光ユニットの前記射出面上に配置され、前記シート固定突起に結合される固定ホールを有する光学シートと、
前記第１収納容器に定着され、前記導光ユニットからガイドされた光の提供を受けて映像を表示するための液晶表示パネルと、
前記液晶表示パネルを加圧する上部面、前記上部面から延び前記第１収納容器と結合する第２側壁面、及び前記第１締結凹所に対応する第１締結孔を具備して前記液晶表示パネルを前記第１収納容器に固定する第２収納容器と、を含む液晶表示装置。
【請求項１９】
前記光学シートは、
前記導光ユニットの前記射出面と向き合う本体部と、
前記本体部から延びる固定部と、を含むことを特徴とする請求項１８に記載の液晶表示装置。
【請求項２０】
前記固定ホールは、前記固定部を貫通して形成されることを特徴とする請求項１９記載の液晶表示装置。
【請求項２１】
前記導光ユニットは、前記導光ユニットの角のうち、前記ランプユニットに近接する角に配置されたキャッチングジョーを具備することを特徴とする請求項１８に記載の液晶表示装置。
【請求項２２】
前記収納容器は、前記角に対応する位置に形成され、前記キャッチングジョーと係合するキャッチング突起を備えることを特徴とする請求項２１に記載の液晶表示装置。
【請求項２３】
前記導光ユニットから漏洩した光を前記導光ユニットの前記反射面に反射するための反射板をさらに含むことを特徴とする請求項１８に記載の液晶表示装置。
【請求項２４】
前記反射板は、
前記反射面と向き合う第１反射面と、
前記第１反射面から延び前記側面と向き合って、前記固定突起を露出させるための開口部が形成された第２反射面と、を含むことを特徴とする請求項２３に記載の液晶表示装置。
【請求項２５】
前記導光ユニットを収納するための収納面と、
前記収納面から延長され前記導光ユニットの前記側面を向き合う第３側壁を具備する第３収納容器と、を更に含むことを特徴とする請求項１８記載の液晶表示装置。
【請求項２６】
前記第３側壁は、前記第１収納容器の前記固定突起を前記導光ユニットの前記側面と向き合うように露出させるための開口部を有することを特徴とする請求項２５記載の液晶表示装置。
【発明の詳細な説明】
【０００１】
【発明の属する技術分野】
本発明はバックライトアセンブリ及びこれを有する液晶表示装置に関するものであり、より詳細には、組立性を向上させるとともに全体のサイズを減少させることができるバックライトアセンブリ及びこれを有する液晶表示装置に関するものである。
【０００２】
【従来の技術】
最近、情報処理機器は多様な形態、多様な機能、より高速の情報処理速度を有するように急速に発展している。このような情報処理装置で処理される情報は電気信号の形態を有する。使用者が情報処理装置で処理された情報を視覚的に確認するためにはインターフェース機能を有するディスプレー装置を必要とする。
【０００３】
液晶表示装置は、液晶の特定の分子配列に電圧を印加して異なる分子配列へ変換させ、このような分子配列により、発光する液晶セルの複屈折性、旋光性、２色性及び光散乱特性などの光学的性質の変化を視覚変化へ変換する、液晶セルによる光の変調を利用したディスプレーである。
【０００４】
このような、液晶表示装置の全体的な大きさは、使用者の要求に応じて段々小型化され、液晶表示モジュール及び液晶表示モジュールを実装するためのケースも改良されてきている。液晶表示モジュールの大型化の要求を満足し、液晶表示装置全体の軽量化、小型化の要求を満足させるためには、液晶表示モジュールとケースとの結合構造及び液晶表示モジュールを構成している部材のレイアウトに対する研究を続けなければならない。
【０００５】
特に、液晶表示モジュールとケースとの結合のための実装構造において、液晶表示モジュールとケースとの結合構造により生じる結合空間が、液晶表示装置の大きさを左右する重要な要因に作用している。
【０００６】
【発明が解決しようとする課題】
本発明の目的は、組立性を向上させ、全体のサイズを減少させることができるバックライトアセンブリを提供することにある。
【０００７】
本発明の他の目的は、バックライトアセンブリを有する液晶表示装置を提供することにある。
【０００８】
【発明の解決するための手段】
上述した目的を達成するための本発明によるバックライトアセンブリは、光を発生するランプユニット、前記光の入射を受ける側面と、入射された光を反射する反射面と、前記入射された光及び反射された光を射出する射出面とを含み、前記光をガイドし、前記側面のうちの少なくとも一つの側面に一つ以上の固定凹所が形成された導光ユニット、及び基底面と前記ランプユニット及び導光ユニットを収納する収納空間が形成されるように、前記基底面から延びられた側壁と、前記固定凹所に結合するために前記側壁から前記収納空間に向かって突出した一つ以上の固定突起とを備える収納容器を含む。
【０００９】
上述した他の目的を達成するための本発明による液晶表示装置は、光を発生するランプユニット、前記光の入射を受ける側面と、入射された光を反射する反射面と、前記入射された光及び反射された光を射出する射出面とを含み、前記光をガイドし、前記側面のうちの少なくとも一つの側面に一つ以上の固定凹所が形成された導光ユニット、基底面と、前記ランプユニット及び導光ユニットを収納する収納空間が形成されるように、前記基底面から延びられた側壁と、前記固定凹所に結合するために前記側壁から前記収納空間に向かって突出された一つ以上の固定突起とを備えて、前記側壁には前記固定突起が形成された領域に対応し、外部ケースと締結するための一つ以上の締結孔が形成された第１収納容器、前記第１収納容器に定着され、前記導光ユニットからガイドされた光の提供を受けて映像を表示するための液晶表示パネル、及び、前記液晶表示パネルを加圧する上部面と、前記上部面から延び前記第１収納容器と結合する第１側壁面とを備えて、前記液晶表示パネルを前記第１収納容器に固定し、前記締結孔に対応する位置に締結凹所が形成された第２収納容器を含む。
【００１０】
このような、バックライトアセンブリ及びこれを有する液晶表示装置によると、導光板には少なくとも一つの側面に一つ以上の固定凹所が形成され、収納容器には前述した固定凹所と対応して結合する一つ以上の固定突起が形成される。ここで、収納容器の側壁には固定突起が形成された領域に対応し、外部ケースと締結するための一つ以上の締結孔又は締結凹所が形成されているので、バックライトアセンブリとこれを有する液晶表示装置の組立性を向上させながら全体のサイズを減少させることができる。
【００１１】
【発明の実施の形態】
以下、図面を参照して本発明の望ましい一実施形態をより詳細に説明する。
【００１２】
図１は本発明の一実施形態による液晶表示装置を具体的に示した分解斜視図である。
【００１３】
図１に示すように、本発明の一実施形態による液晶表示装置１０００は、画像信号が入力され画面を表示するための液晶表示モジュール７００と、液晶表示モジュール７００を収納するためのフロントケース９００及びリアケース８００により構成されたケースとを含む。
【００１４】
前記液晶表示パネルは、液晶表示パネル２１０を含むディスプレーユニット２００及び前記ディスプレーユニット２００に光を提供するためのバックライトアセンブリ３００を含む。
【００１５】
前記ディスプレーユニット２００は、液晶表示パネル２１０、データ印刷回路基板２２０、ゲート印刷回路基板２３０、データ側テープキャリアパッケージ（ＴＣＰ）２４０、及びゲート側ＴＣＰ２５０とを含む。
【００１６】
前記液晶表示パネル２１０は薄膜トランジスター（以下、ＴＦＴと称する）基板２１１、カラーフィルタ基板２１３及び液晶（図示せず）を含む。ＴＦＴ基板２１１はマトリックス状のＴＦＴが形成されている透明なガラス基板である。前記ＴＦＴのソース端子にはデータラインが連結され、ゲート端子にはゲートラインが連結される。また、ドレーン端子には透明な導電性材質であるインジウムティンオキサイド（ＩＴＯ）から成る画素電極が形成される。
【００１７】
データライン及びゲートラインに電気信号を入力すると、各々のＴＦＴのソース端子とゲート端子に電気信号が入力され、これら電気信号の入力によりＴＦＴはターンオンまたはターンオフされ、ドレーン端子には画素形成に必要な電気信号が入力される。
【００１８】
前記ＴＦＴ基板２１１に対向してカラーフィルタ基板２１３が備えられる。前記カラーフィルタ基板２１３は光が通過すると、所定の色に発現される色画素であるＲＧＢ画素が薄膜工程により形成された基板である。カラーフィルタ基板２１３の前面にはＩＴＯより成る共通電極を用いて形成される。
【００１９】
前述したＴＦＴ基板２１１のトランジスターのゲート端子及びソース端子に電源電圧が印加されてＴＦＴ基板がターンオンされると、画素電極とカラーフィルタ基板の共通電極との間には電界が形成される。このような電界によりＴＦＴ基板２１１とカラーフィルタ基板２１３との間に注入された液晶の配列角が変化し、変化した配列角に従って光透過度が変更されて所望の画素を得ることになる。
【００２０】
図示したように、前記液晶表示パネル２１０のソース側にはデータ駆動信号の印加時期を決定する可撓性印刷回路基板の一種であるデータ側ＴＣＰ２４０が取り付けられており、ゲート側にはゲートの駆動信号の印加時期を決定するためにゲート側ＴＣＰ２５０が取り付けられている。
【００２１】
液晶表示パネル２１０の外部から映像信号の入力を受けてデータラインに駆動信号を入力するためのデータ印刷回路基板２２０は、データ側ＴＣＰ２４０に接続される。また、ゲートラインに駆動信号を入力するためのゲート印刷回路基板２３０はゲート側ＴＣＰ２５０に接続される。前記データ及びゲート印刷回路基板２２０、２３０は、コンピュータなどの外部の情報処理装置（図示せず）から発生した映像信号が入力されて、前記液晶表示パネル２１０を駆動するためのデータ及びゲート駆動信号、これら信号を適切な時期に入力するための複数のタイミング信号を発生する。
【００２２】
前記ディスプレーユニット２００の下には前記ディスプレーユニット２００に均一な光を提供するためのバックライトアセンブリ３００が備えられている。前記バックライトアセンブリ３００は、第１及び第２ランプユニット３１０、３２０、導光板３３０、光学シート３４０及び反射板３５０を含む。
【００２３】
前記第１及び第２ランプユニット３１０、３２０には各々のランプが実装されており、これらランプには冷陰極蛍光ランプ（ＣＣＦＬ）が使用される。
【００２４】
前記導光板３３０は前記ディスプレーユニット２００の液晶表示パネル２１０に対応する大きさを有し、液晶表示パネル２１０の下に位置して前記第１及び第２ランプユニット３１０、３２０から発生された光を前記ディスプレーユニット２００側に案内しながら光の経路を変更する。
【００２５】
前記導光板３３０は第１乃至第４側面３３１、３３２、３３３、３３４と、前記第１乃至第４側面３３１、３３２、３３３、３３４に各々連結されて互いに係合する反射面３３５と射出面３３６を有する。ここで、前記第３及び第４側面３３３、３３４は前記第１及び第２ランプユニット３１０、３２０から光が入射される入射面である。前記第３及び第４側面３３３、３３４を通して入射された光は、前記射出面３３６を通して直接射出され、または反射面３３５により前記射出面３３６側に反射され射出面３３６から射出される。ここで、前記第１及び第２側面３３１、３３２には各々一つ以上の第１固定凹所３３１ａ及び第２固定凹所（図示せず）が形成される。
【００２６】
前記導光板３３０の射出面３３６上には、前記導光板３３０から射出された光の輝度分布を均一にするための光学シート３４０が備えられる。また、反射板３５０は前記導光板３３０の反射面３３５と向き合うように備えられ、前記反射面３３５から漏洩した光を導光板３３０に再反射する。
【００２７】
ボトムモールドフレーム５００は、基底面５５０と、前記基底面５５０から延びボトムシャーシ４００を収納することができる収納空間を形成する第１乃至第４側壁５１０、５２０、５３０、５４０からなる。前記ボトムモールドフレーム５００は、前記第１側壁５１０から突出する第１固定突起５６０と、前記第２側壁５２０から突出する第２固定突起５７０とを備える。
【００２８】
ボトムシャーシ４００は、定着面４５０と、前記定着面４５０から延びる第１乃至第４側壁面４１０、４２０、４３０、４４０を備えて、前記第１及び第２ランプユニット３１０、３２０と、反射板３５０と、導光板３３０と、光学シート３４０とを順次収納する。前記導光板３３０及び光学シート３４０は前記ボトムシャーシ４００に収納された状態で前記ボトムモールドフレーム５００に固定される。
【００２９】
前記ボトムシャーシ４００とボトムモールドフレーム５００上には、トップモールドフレーム１００が定着される。前記トップモールドフレーム１００は、前記光学シート３４０を加圧しながら、前記光学シート３４０上に配置されるディスプレーユニット２００を支持する。以後、前記トップモールドフレーム１００上に前記ディスプレーユニット２００が配置されると、前記ディスプレーユニット２００の上に、前記ディスプレーユニット２００が前記ボトムシャーシ４００から離脱されることを防止するためのトップシャーシ６００が提供される。
【００３０】
以下、図１に示した液晶表示装置１０００の構成要素各々を、図面を参照して具体的に説明する。
【００３１】
図２乃至図４は図１に示したボトムモールドフレームを具体的に示した図面である。
【００３２】
図２乃至図４に示すように、前記ボトムモールドフレーム５００は基底面５５０と、前記基底面５５０から延びる第１乃至第４側壁５１０、５２０、５３０、５４０とを備えて収納空間を形成する。前記ボトムモールドフレーム５００は前記第１側壁５１０から前記収納空間に向かって突出した一つ以上の第１固定突起５６０を備える。また、ボトムモールドフレーム５００は、前記第１側壁５１０と向き合う第２側壁５２０から前記収納空間に向かって突出した一つ以上の第２固定突起５７０を備える。前記第１及び第２固定突起５６０、５７０は、前記導光板３３０と結合して、前記導光板３３０が外部からの衝撃により動いてしまうことを防止する。
【００３３】
前記ボトムモールドフレーム５００の第１側壁５１０には、前記第１固定突起５６０が形成された領域に対応する第１締結孔５１１が形成され、前記第２側壁５２０には前記第２固定突起５７０が形成された領域に対応する第２締結孔５２１が形成される。図４に示すように、前記第１締結孔５１１は前記第１側壁５１０を貫通し、前記第１固定突起５６０まで延び、前記第２締結孔５２１は前記第２側壁５２０を貫通し、前記第２固定突起５７０まで延びる。前記第１及び第２締結孔５１１、５２１は、前記ボトムモールドフレーム５００とフロントケース９００及びリアケース８００とを結合するために使用される孔である。
【００３４】
ここで、前記第１及び第２締結孔５１１、５２１は前記第１及び第２側壁５１０、５２０を貫通し、前記第１及び第２固定突起５６０、５７０まで延びるため、前記第１及び第２側壁５１０、５２０の幅を広くしなくても締結孔の十分な長さを確保することができる。即ち、前記第１及び第２固定突起５６０、５７０は、前記導光板３３０を前記ボトムモールドフレーム５００に固定する機能を有すると同時に、前記第１及び第２締結孔５１１、５２１のための十分な結合空間を確保する機能を有する。
【００３５】
前記第１及び第２固定突起５６０、５７０各々は、前記導光板３３０の第１及び第２側面３３１、３３２と各々接して、前記導光板３３０をガイドするガイド面５６１、５７１と、前記基底面５５０と面接する下部面５６２、５７２と、前記下部面５７２と反対側の面である上部面５６３、５７３からなる。前記ガイド面５６１、５７１と前記上部面５６３、５７３との間には、前記導光板３３０の第１及び第２側面３３１、３３２から各々漏洩される光を前記導光板３３０に再反射するための傾斜面５６４、５７４が形成されている。
【００３６】
前記ボトムモールドフレーム５００の四つの角には、収納空間に向かって突出した第１乃至第４キャッチング突起５８１、５８２、５８３、５８４が各々形成される。前記第１乃至第４キャッチング突起５８１、５８２、５８３、５８４は、前記導光板３３０が前記収納空間に収納されるとき、前記導光板３３０と係合する。したがって、前記ボトムモールドフレーム５００は前記導光板３３０とさらに確実に結合する。
【００３７】
前記ボトムモールドフレーム５００は、前記第１及び第２固定突起５６０、５７０の上部面５６３、５７３から所定の高さに各々突出した第１及び第２シート固定突起５６５、５７５をさらに備える。前記第１及び第２シート固定突起５６５、５７５は前記光学シート３４０と結合される。したがって、前記光学シート３４０が外部からの衝撃により動いてしまうことを防止する。一方、前記第１及び第２側壁５１０、５２０の上面には、後述するトップモールドフレーム１００と結合される第１及び第２モールド固定突起５１２、５２２がさらに形成される。
【００３８】
図５及び図６は図１に示したボトムシャーシを具体的に示した図面である。図７及び図８は図６に示したボトムシャーシにボトムモールドフレームが結合された状態を示した図面である。
【００３９】
図５及び図６に示すように、前記ボトムシャーシ４００は定着面４５０と、収納空間が形成されるように定着面４５０から延びた第１乃至第４側壁４１０、４２０、４３０、４４０とを含む。
【００４０】
前記ボトムシャーシ４００の第１側壁４１０と定着面４５０には、ボトムモールドフレーム５００の第１固定突起５６０を前記収納空間に収納するための第１開口部４１１が形成され、前記第２側壁面４２０及び定着面４５０には前記ボトムモールドフレーム５００の第２固定突起５７０を前記収納空間に収納するための第２開口部４２１が形成される。また、前記ボトムシャーシ４００の四つの角には、前記ボトムモールドフレーム５００の第１乃至第４キャッチング突起５８１、５８２、５８３、５８４を収納するための第３乃至第６開口部４８１、４８２、４８３、４８４が各々形成されている。
【００４１】
前記ボトムシャーシ４００は、前記第１側壁４１０から外側に向かって延びるように形成された一つ以上の第１結合部４６０と、前記第２側壁面４２０から外側に向かって延びるように形成された一つ以上の第２結合部４７０とを備える。前記第１及び第２結合部４６０、４７０各々には、前記第１及び第２結合部４６０、４７０を貫通して形成された第１及び第２結合孔４６１、４７１が形成される。前記第１及び第２結合孔４６１、４７１は、トップシャーシ６００と各々締結されるホールである。
【００４２】
図７に示すように、前記ボトムシャーシ４００が前記ボトムモールドフレーム５００に収納されると、前記ボトムシャーシ４００の定着面４５０は前記ボトムモールドフレーム５００の基底面５５０と対向し、前記ボトムシャーシ４００の第１乃至第４側壁５１０、５２０、５３０、５４０は前記ボトムシャーシ４００の第１乃至第４側壁４１０、４２０、４３０、４４０と向き合う。ここで、前記ボトムモールドフレーム５００の第１固定突起５６０は前記第１開口部４１１に挿入され、前記第２固定突起５７０は前記第２開口部４２１に挿入される。また、前記ボトムモールドフレーム５００の第１乃至第４キャッチング突起５８１、５８２、５８３、５８４は前記第３乃至第６開口部４８１、４８２、４８３、４８４に挿入される。
【００４３】
一方、前記ボトムシャーシ４００の第１結合部４６０は、前記ボトムモールドフレーム５００の第１側壁５１０上に配置され、前記第２結合部４７０は前記第２側壁５２０上に配置される。前記ボトムモールドフレーム５００の第１側壁５１０には、収納空間側に向かって陥没した第１収納溝５１５が形成され、第２側壁５２０には収納空間側に向かって陥没した第２収納溝５２５が形成される。第１及び第２収納溝５１５、５２５は前記ボトムシャーシ４００の第１及び第２結合部４６０、４７０と対応する位置に形成される。ここで、前記第１及び第２収納溝５１５、５２５は、前記第１及び第２結合部４６０、４７０が前記トップシャーシ６００とスクリュー（図示せず）により締結される時、前記スクリューを収納する。したがって、前記スクリューにより前記液晶表示装置１０００の厚さが増加することが防止される。
【００４４】
図８に示すように、前記ボトムモールドフレーム５００の基底面５５０は部分的に開口された形態を有しており、前記ボトムシャーシ４００の背面が外部に露出される。
【００４５】
図９は図１に示した導光板を具体的に示した斜視図であり、図１０は図９の背面図である。
【００４６】
図９に示すように、前記導光板３３０は第１乃至第４側面３３１、３３２、３３３、３３４、前記第１乃至第４側面３３１、３３２、３３３、３３４間に備えられた射出面３３６と反射面３３５からなる。前記第１乃至第４側面３３１、３３２、３３３、３３４のうちの少なくとも一つが、前記光が入射される入射面となる。ここでは、第１及び第２ランプユニット３１０、３２０が各々設けられる前記第３及び第４側面３３３、３３４が入射面になる。前記射出面３３６は前記入射された光を射出し、前記反射面３３５は前記入射された光を前記射出面３３６側に反射する。したがって、前記導光板３３０は前記第３及び第４側面３３３、３３４を通して入射された光を前記液晶表示パネル２１０にガイドする。
【００４７】
前記導光板３３０の前記第１側面３３１には二つの第１固定凹所３３１aが形成され、第２側面３３２には二つの第２固定凹所３３２aが形成される。前記第１及び第２固定凹所３３１ａ、３３２ａ各々は、前記射出面３３６から反射面３３５まで延びて形成される。また、前記第１及び第２固定凹所３３１ａ、３３２ａは、前記射出面３３６上で見る時、矩形形状を有する。前記第１及び第２固定凹所３３１ａ、３３２ａは前記ボトムモールドフレーム５００に備えられた第１及び第２固定突起５６０、５７０と各々結合する。
【００４８】
前記導光板３３０は、その四つの角に第１乃至第４キャッチングジョー３３７a、３３７b、３３７c、３３７dを備える。具体的に、前記第１乃至第４キャッチングジョー３３７ａ、３３７ｂ、３３７ｃ、３３７ｄは前記導光板３３０の四つの角を切り取ることにより、前記射出面３３６から前記反射面３３５まで延びるように形成される。前記第１乃至第４キャッチングジョー３３７ａ、３３７ｂ、３３７ｃ、３３７ｄは前記ボトムモールドフレーム５００に備えられた第１乃至第４キャッチング突起５８１、５８２、５８３、５８４と各々結合する。
【００４９】
図１０に示したように、前記導光板３３０は前記第１及び第２ランプユニット３１０、３２０からの光をガイドする有効ガイド領域Ｇと前記導光板３３０を前記ボトムモールドフレーム５００に固定するための固定領域Ｆとに区分される。ここで、前記有効ガイド領域Ｇは前記液晶表示パネル２１０の有効ディスプレー領域と対応する領域である。
【００５０】
前記導光板３３０の背面には前記有効ガイド領域Ｇに対応する光散乱パターン３３５ａが設けられている。前記光散乱パターン３３５ａは、光が前記反射面３３５を透過しないように光を遮断し、前記光を散乱及び反射して光の輝度及び輝度均一性を増加させる。
【００５１】
前記光散乱パターン３３５ａは前記固定領域Ｆにある前記導光板３３０の背面にも形成される。特に、前記光散乱パターン３３５ａは前記第１及び第２固定凹所３３１ａ、３３２ａが形成された周辺領域に形成される。この時、前記光散乱パターン３３５ａは、前記第１及び第２固定凹所３３１ａ、３３２ａから遠ざかるほどサイズが小さくなることが望ましい。このように、前記固定領域Ｆに前記光散乱パターン３３５ａを形成することにより、前記固定領域Ｆでの輝度を増加させることができる。したがって、前記第１及び第２固定凹所３３１ａ、３３２ａの周辺で相対的に輝度が低くなることを防止することができる。
【００５２】
図１１は、図１に示した光学シートを具体的に示した斜視図であり、図１２は図１に示した反射板を具体的に示した斜視図である。
【００５３】
図１１に示すように、前記光学シート３４０は三枚からなり、各々は前記光の輝度を均一にするための本体部３４１と、前記本体部３４１から外側に延びて形成された第１及び第２固定部３４２、３４３とを備える。具体的に、前記光学シート３４０は前記本体部３４１の一端部から延びた第１固定部３４２と、前記一端部と向き合う他端部から延びた第２固定部３４３とを備える。前記第１固定部３４２には前記ボトムモールドフレーム５００の第１シート固定突起５１２と結合するための第１固定凹所３４２ａが形成されている。また、前記第２固定部３４３には前記ボトムモールドフレーム５００の第２シート固定突起５２２と結合するための第２固定凹所３４３ａが形成されている。図示したように、前記第１及び第２固定凹所３４２ａ、３４３ａは前記第１及び第２固定部３４２、３４３を各々貫通して形成される。
【００５４】
図１２に示すように、前記反射板３５０は前記導光板３３０の反射面３３５と向き合う第１反射面３５１と、前記第１反射面３５１の第１端部から延びて前記導光板３３０の第１側面３３１と向き合う第２反射面３５２とを含む。図面には示していないが、前記導光板３３０の第２側面３３２には、反射率が優れた材質からなる層がコーティングされる。
【００５５】
ここで、前記第２反射面３５２には第７開口部３５２ａが形成される。前記第７開口部３５２ａは前記ボトムモールドフレーム５００の第１固定突起５６０と対応する位置に形成される。また、第１反射面３５１には、第７開口部３５２ａから収納領域側に向かって凹部３５２ｂが形成される。更に、第１反射面３５１の、第２固定突起５７０に対応する位置には、第１反射面３５１の端部から内側へ向かって凹部３５１ａが形成される。前記反射板３５０が前記ボトムモールドフレーム５００に収納される時、前記第１固定突起５６０は前記第７開口部３５２ａに挿入される。
【００５６】
前記第１反射面３５１は前記導光板３３０の反射面３３５から漏洩した光を反射して前記導光板３３０に提供し、前記第２反射面３５２は前記第１側面３３１から漏洩した光を反射して前記導光板３３０に提供する。また、前記第２側面３３２のコーティング層は前記第２側面３３２へ到達した光を反射して、再度前記導光板３３０に提供する。これにより、前記反射板３５０は前記導光板３３０から射出される光の輝度を増加させる。
【００５７】
図１３は他の実施形態による反射板の構造を具体的に示した斜視図である。
【００５８】
図１３に示すように、反射板３５０は前記導光板３３０の反射面３３５と向き合う第１反射面３６１と、前記第１反射面３６１の第１端部から延び前記導光板３３０の第１側面３３１と向き合う第２反射面３６２と、前記第１端部と向き合う第２端部から延び前記導光板３３０の第２側面と向き合う第３反射面３６３とを備える。前記第２反射面３６２の前記ボトムモールドフレーム５００の第１固定突起５６０と対応する位置には第８開口部３６２ａが形成され、前記第３反射面３６３の第２固定突起５７０と対応する位置には第９開口部３６３ａが形成される。また、第１反射面３６１には、第８開口部３６２ａから収納領域側に向かって凹部３６２ｂが形成され、第９開口部３６３ａから収納領域に向かって凹部３６３ｂが形成される。
【００５９】
したがって、前記第１反射面３６１は前記導光板３３０の反射面３３５から漏洩した光を反射して前記導光板３３０に提供し、前記第２反射面３６２は前記第１側面３３１から漏洩した光を反射して前記導光板３３０に提供する。また、前記第３反射面３６３は前記第２側面３３２から漏洩した光を反射して前記導光板３３０に提供する。これにより、前記反射板３５０は前記導光板３３０から射出される光の輝度を増加させる。
【００６０】
図１４は図７に示したボトムモールドフレーム及びボトムシャーシの組立体内に反射板及び導光板が収納された状態を示した平面図であり、図１５は図１４に示した組立体を切断線II−II′において切断して示した断面図であり、図１６は図１４に示した組立体を切断線III−III′において切断した断面図である。
【００６１】
図１４乃至図１６に示すように、前記ボトムシャーシ４００には前記反射板３５０が収納され、前記反射板３５０上に前記導光板３３０が収納される。具体的に、前記反射板３５０が前記ボトムシャーシ４００に収納されると、第１反射面３５１は前記定着面４５０上に位置付けられ、第２反射面３５２は前記ボトムシャーシ４００の第１側壁４１０と向き合う。ここで、前記第２反射面３５２に形成された第７開口部３５２ａには前記ボトムモールドフレーム５００の第１固定突起５６０が挿入される。
【００６２】
前記反射板３５０上に前記導光板３３０が配置されると、前記導光板３３０の反射面３３５は前記第１反射面３５１と向き合い、前記第１側面３３１は前記第２反射面３５２と向き合う。また、前記導光板３３０の第１固定凹所３３１ａは前記第１固定突起５６０と結合し、前記第２固定凹所３３２ａは前記第２固定突起５７０と結合する。一方、前記導光板３３０の四つの角に形成された第１乃至第４キャッチングジョー３３７ａ、３３７ｂ、３３７ｃ、３３７ｄは、前記ボトムモールドフレーム５００の第１乃至第４キャッチング突起５８１、５８２、５８３、５８４と各々結合する。これにより、前記導光板３３０は前記ボトムモールドフレーム５００に堅固に固定される。
【００６３】
図１７は図１４に示した組立体に光学シートが収納された状態を示した平面図であり、図１８は図１７に示した組立体を切断線IV−IV′において切断して示した断面図である。
【００６４】
図１７及び図１８に示すように、前記ボトムシャーシ４００は前記導光板３３０の射出面３３６上に配置される光学シート３４０を収納する。具体的には、前記光学シート３４０の本体部は前記射出面３３６と向き合い、前記光学シート３４０の第１固定部３４２に形成された第１固定凹所３４２ａは前記ボトムモールドフレーム５００に備えられた第１シート固定突起５６５に締結される。また、前記光学シート３４０の第２固定部３４３に形成された第２固定凹所３４３ａはボトムモールドフレーム５００に備えられた第２シート固定突起５７５に締結される。これにより、前記光学シート３４０は前記ボトムモールドフレーム５００に固定される。
【００６５】
図１９は図１に示したトップモールドフレームの構造を具体的に示した平面図であり、図２０は図１９を切断線Ｖ−Ｖ′において切断して示した断面図である。
【００６６】
図１９及び図２０に示すように、前記トップモールドフレーム１００は、一体に形成された第５乃至第８側壁１２１、１２２、１２３、１２４と、前記第５乃至第８側壁１２１、１２２、１２３、１２４から各々内側に延びるように形成された第１乃至第４基底面１１１、１１２、１１３、１１４からなる。前記第１乃至第４基底面１１１、１１２、１１３、１１４から形成される前記トップモールドフレーム１００の基底面は、所定の大きさに開口されている。
【００６７】
前記トップモールドフレーム１００の第１乃至第４基底面１１１、１１２、１１３、１１４上には、前記第５乃至第８側壁１２１、１２２、１２３、１２４から所定距離に離隔された第１乃至第４隔壁１３１、１３２、１３３、１３４が形成される。前記第５側壁１２１と前記第１隔壁１３１との間には第１ガイドグルーブ１４１が形成され、前記第６側壁１２２と前記第２隔壁１３２との間には第２ガイドグルーブ１４２が形成される。同様に、前記第７側壁１２３と前記第３隔壁１３３との間には第３ガイドグルーブ１４３が形成され、前記第８側壁１２４と第４隔壁１３４との間には第４ガイドグルーブ１４４が形成される。
【００６８】
前記第１乃至第４ガイドグルーブ１４１、１４２、１４３、１４４は、各々の側壁と隔壁により決定される所定の深さを有する。前記第１乃至第４ガイドグルーブ１４１、１４２、１４３、１４４は、前記第１及び第２ランプユニット３１０、３２０の端部から引き出された電源供給ライン（図示せず）を収納して、その電源供給ラインを外へ引き出すために用意される。
【００６９】
前記第１及び第２ガイドグルーブ１４１、１４２には、前記第１及び第２基底面１１１、１１２を貫通して形成された一つ以上の第１及び第２収納孔１４１ａ、１４２ａが各々形成される。前記第１及び第２収納孔１４１ａ、１４２ａには、前記ボトムモールドフレーム５００の第１及び第２側壁５１０、５２０の上面の上面から突出された第１及び第２モールド固定突起５１２、５２２と各々結合される。図面では、前記第１及び第２収納孔１４１ａ、１４２ａが前記第１及び第２基底面１１１、１１２を貫通して形成されたことを示したが、前記第１及び第２収納孔１４１ａ、１４２ａは前記第１及び第２基底面１１１、１１２の背面から第１及び第２モールド固定突起５１２、５２２を挿入できる所定の深さに陥没された形状に形成することができる。
【００７０】
図１９に示すように、前記トップモールドフレーム１００の第５側壁１２１及び前記第１基底面１１１にはトップモールドフレーム１００の内側に向かって前記第３収納溝１２１ａが形成され、前記第６側壁１２２及び第２基底面１１２には、トップモールドフレーム１００の内側に向かって第４収納溝１２２ａが形成される。前記第３及び第４収納溝１２１ａ、１２２ａは、前記ボトムシャーシ４００の第１及び第２結合部４６０、４７０に対応して形成され、前記トップモールドフレーム１００が前記ボトムシャーシ４００上に固定される時、前記第１及び第２結合部４６０、４７０と結合する。
【００７１】
図２１は図１６に示した構造にトップモールドフレームが固定された構造を示した平面図である。図２２は図２１に示した構造を切断線VI−VI′にて切断して示した断面図であり、図２３は図２１に示した構造を切断線VII−VII′にて切断して示した断面図である。図２４は図２１に示した構造を切断線VIII−VIII′にて切断して示した断面図である。
【００７２】
図２１及び図２２に示すように、前記トップモールドフレーム１００は前記ボトムモールドフレーム５００上に固定される。ここで、前記トップモールドフレーム１００の第１乃至第４基底面１１１、１１２、１１３、１１４は前記光学シート３４０を加圧する。
【００７３】
前記トップモールドフレーム１００の第１及び第２収納孔１４１ａ、１４２ａは前記ボトムモールドフレーム５００の第１及び第２モールド固定突起５１２、５２２に各々結合される。したがって、前記トップモールドフレーム１００は前記ボトムモールドフレーム５００に堅固に固定される。
【００７４】
図２３に示したように、前記トップモールドフレーム１００の背面には、前記光学シート３４０の第１及び第２固定部３４２、３４３と対応する位置に前記光学シート３４０を固定するための接着テープ１１１ａ、１１２ａが付着される。具体的に、前記接着テープ１１１ａ、１１２ａは両面接着テープとして、一側面は前記トップモールドフレーム１００に固定され、前記他側面は前記光学シート３４０の各固定部及び前記ボトムモールドフレーム５００に付着される。したがって、前記接着テープ１１１ａ、１１２ａは前記光学シート３４０を前記ボトムモールドフレーム５００に固定する。
【００７５】
前記トップモールドフレーム１００は前記バックライトアセンブリ３００から漏洩する光を遮断するために第１光吸収率を有する材質からなることが望ましい。ここで、例えば前記トップモールドフレーム１００は光吸収率が優れたブラック系列色に形成されることにより、前記光が外部に漏洩することを防止することができる。
【００７６】
ここで、前記接着テープ１１１ａ、１１２ａは前記第１光吸収率より相対的に低い第２光吸収率を有する材質からなる。ここで、光吸収率が相対的に低いということは、相対的に光反射率が高いということに解釈される。即ち、前記接着テープ１１１ａ、１１２ａは光反射率が優れた材質からなり、前記光学シート３４０の第１及び第２固定部３４２、３４３に到達した光を反射して前記第１及び第２固定部３４２、３４３での輝度を増加させる。例えば、前記接着テープ１１１ａ、１１２ａは相対的に光反射率が高いホワイト系列色に形成されることができる。
【００７７】
図２１及び図２４に示すように、前記トップモールドフレーム１００の第３収納溝１２１ａには前記ボトムシャーシ４００の第１結合部４６０が挿入され、前記第４収納溝１２２ａには前記ボトムシャーシ４００の第２結合部４７０が挿入される。したがって、前記第１及び第２結合部４６０、４７０は前記第３及び第４収納溝１２１ａ、１２２ａから外部に露出される。ここで、前記第１及び第２結合部４６０、４７０は前記トップモールドフレーム１００の高さに相当する高さで前記ボトムシャーシ４００の第１及び第２側壁４１０、４２０の上部から突出している。
【００７８】
図２５は図２１に示した構造にディスプレーユニットが取り付けたされた構造を示す平面図である。図２６は図２５に示した構造を切断線IX−IX′にて切断して示した断面図である。
【００７９】
図２５に示すように、前記トップモールドフレーム１００の第１乃至第４基底面１１１、１１２、１１３、１１４上には、前記第１乃至第４基底面１１１、１１２、１１３、１１４と前記液晶表示パネル２１０のＴＦＴ基板２１１とが接するように、前記ディスプレーユニット２００が配置される。
【００８０】
前記液晶表示パネル２１０は、ＴＦＴ基板２１１とカラーフィルタ基板２１３とが向き合う有効ディスプレー領域と、前記有効ディスプレー領域を除外したその他の領域である非有効ディスプレー領域に区分される。前記非有効ディスプレー領域は、データ側ＴＣＰ２４０の一端部が付着されるデータ部と、ゲート側ＴＣＰ２５０の一端部が付着されるゲート部とからなる。前記データ側ＴＣＰ２４０の他端部はデータ印刷回路基板２２０と結合され、ゲート側ＴＣＰ２５０の他端部はゲート印刷回路基板２３０と結合される。
【００８１】
前記ディスプレーユニット２００が前記トップモールドフレーム１００上に配されると、前記データ側ＴＣＰ２４０は前記ボトムモールドフレーム５００の第４側壁５４０を取り囲むように折り曲げられ、前記データ印刷回路基板２２０は前記ボトムシャーシ４００の背面に配置される。また、ゲート印刷回路基板２３０は前記ゲート側ＴＣＰ２５０が折り曲げられることにより、前記ボトムモールドフレーム５００の第１側壁５１０に収納される。ここで、前記第１側壁５１０は、前記ゲート印刷回路基板２３０を収納するための溝を備える。従って、前記ゲート印刷回路基板２３０が前記第１側壁５１０に収納されていても、前記液晶表示装置のサイズが増加するのを防止することができる。
【００８２】
図２６に示したように、前記ゲート印刷回路基板２３０には前記ボトムモールドフレーム５００に形成された第１締結孔５１１と対応する第１締結凹所２３１が形成されている。したがって、前記ゲート印刷回路基板２３０が前記ボトムモールドフレーム５００の第１側壁５１０に収納されると、前記第１締結凹所２３１は前記第１締結孔５１１に対応する場所に位置付けられる。
【００８３】
図２７はボトムシャーシの背面にデータ印刷回路基板が定着された状態を示した斜視図である。図２８は図２７に示した構造を切断線にＸ−Ｘ′において切断した断面図である。
【００８４】
図２７及び図２８に示すように、前記ボトムシャーシ４００は背面から突出された第１支持部４５１と、前記第１支持部４５１から突出された第２支持部４５２とを備える。前記第１支持部４５１上には、前記データ印刷回路基板２２０の一端部が定着される。前記データ印刷回路基板２２０の一端部には、外部情報処理装置（図示せず）から提供される電気信号の入力を受ける第１コネクタ２２１が備えられている。前記第１コネクタ２２１は外部情報処理装置と連結された可撓性印刷回路基板２６０に付着された第２コネクタ２６１と結合する。ここで、前記第１コネクタ２２１はソケットであり、前記第２コネクタ２６１はプラグである。勿論、その逆も可能である。
【００８５】
前記第１コネクタ２２１に前記第２コネクタ２６１が挿入され、前記データ印刷回路基板２２０は外部情報処理装置と電気的に接続される。ここで、前記第２コネクタ２６１は前記データ印刷回路基板２２０の厚さ（ｔ）に相当する距離だけ前記第１支持部４５１と離隔されている。このような離隔空間により、前記第２コネクタ２６１は安定して固定されない。したがって、前記第１支持部４５１上には、前記データ印刷回路基板２２０の厚さ（ｔ）と同一の高さ（ｈ）に突出する第２支持部４５２をさらに備えられる。前記第２支持部４５２は、前記第２コネクタ２６１が前記第１コネクタ２２１に安定して結合されることができるように、前記第２コネクタ２６１を支持し、結合された後にも前記第２コネクタ２６１が動かないように支持する。
【００８６】
図２９及び図３０は、図１に示したトップシャーシを具体的に示した図面である。
【００８７】
図２９及び図３０に示すように、前記トップシャーシ６００は、一体に形成された第１乃至第４上部面６１０、６２０、６３０、６４０と、前記第１乃至第４上部面６１０、６２０、６３０、６４０の端部から各々延びる第５乃至第８側壁面６５０、６６０、６７０、６８０とを備える。
【００８８】
前記トップシャーシ６００には前記第１上部面６１０を貫通する第３結合孔６１１と、前記第２上部面６２０を貫通する第４結合孔６２１とが形成される。前記第３及び第４結合孔６１１、６２１は前記ボトムシャーシ４００の第１及び第２結合部４６０、４７０に各々形成された第１及び第２結合孔４６１、４７１と結合するために用意されたホールである。ここで、前記第３及び第４結合孔６１１、６２１の周辺領域は所定の深さに陥没されている。
【００８９】
また、前記トップシャーシ６００には前記第５側壁面６５０を貫通する第２締結凹所６５１と前記第６側壁面６６０を貫通する第３締結凹所６６１とが形成される。前記第２及び第３締結凹所６５１、６６１は、前記ボトムモールドフレーム５００に形成された第１及び第２締結孔５１１、５２１と各々結合するために用意されたホールである。
【００９０】
図３１及び図３２は、図２５に示した構造にトップシャーシが提供された状態で切断した断面図である。
【００９１】
図３１に示すように、前記液晶表示パネル２１０上にトップシャーシ６００が提供されると、第１及び第２上部面６１０、６２０は前記液晶表示パネル２１０の非有効ディスプレー領域を加圧し、前記第５及び第６側壁面６５０、６６０は前記ボトムモールドフレーム５００の第１及び第２側壁５１０、５２０と対向する。ここで、前記第５側壁面６５０は前記第１側壁５１０との間に前記ゲート印刷回路基板２３０を挿入された状態で互いに向き合う。
【００９２】
また、前記トップシャーシ６００が提供されると、前記トップシャーシ６００の第２締結凹所６５１は、前記ゲート印刷回路基板２３０に形成された第１締結凹所２３１及び前記ボトムモールドフレーム５００に形成された第１締結孔５１１と各々対応する場所に位置付けられる。また、前記トップシャーシ６００の第３締結凹所６６１は前記ボトムモールドフレーム５００に形成された第２締結孔５２１と対応する場所に位置付けられる。
【００９３】
ここで、前記第２締結凹所６５１の周辺領域は、所定の深さに陥没されている。したがって、前記トップシャーシ６００は、所定の深さに陥没した周辺領域により、前記ゲート印刷回路基板２３０を加圧する。
【００９４】
図３２に示すように、提供された前記トップシャーシ６００の第３結合孔６１１と前記ボトムシャーシ４００の第１結合孔４６１とが互いに対応する位置にあり、前記トップシャーシ６００の第４結合孔６２１と前記ボトムシャーシ４００の第２結合孔４７１が互いに対応する位置にある。ここで、前記第１スクリュー６９１は前記第３結合孔６１１を貫通した後、前記第１結合孔４６１に締結され、第２スクリュー６９２は前記第４結合孔６２１を貫通した後、前記第２結合孔４７１に締結される。このように、前記トップシャーシ６００と前記ボトムシャーシ４００が前記第１及び第２スクリュー６９１、６９２により堅固に結合されることにより、前記液晶表示装置１０００の組立性をさらに向上させることができる。
【００９５】
図３３は液晶表示モジュールとケースとの結合構造を示した分解斜視図であり、図３４は図３３に示した構造を切断した断面図である。
【００９６】
図３３及び図３４に示すように、液晶表示モジュール７００はケースにより収納される。前記ケースは前記液晶表示モジュール７００を収納するリアケース８００と、前記液晶表示モジュール７００の有効ディスプレー領域を開口させながら、前記リアケース８００と結合するフロントケース９００とを含む。
【００９７】
前記リアケース８００は、前記液晶表示モジュール７００を収納するための収納空間を形成するために一体に形成された第９乃至第１２側壁８１０、８２０、８３０、８４０と、前記第９乃至第１２側壁８１０、８２０、８３０、８４０から内側に延びるように形成された第５基底面８５０とを備える。前記第５基底面８５０に前記液晶表示モジュール７００が配置されると、前記トップシャーシ６００の第５乃至第８側壁面６１０、６２０、６３０、６４０と、前記第９乃至第１２側壁８１０、８２０、８３０、８４０とが互いに向き合う。
【００９８】
前記リアケース８００には前記第９側壁８１０を貫通する第４締結凹所８１１と、前記第１０側壁８２０を貫通する第５締結凹所８２１とが形成される。前記リアケース８００に前記液晶表示モジュール７００が収納された状態において、前記第４締結凹所８１１は、前記トップシャーシ６００の第２締結凹所６５１と、前記ゲート印刷回路基板２３０の第１締結凹所２３１と、ボトムモールドフレーム５００の第１締結孔５１１と対応する位置にあり、前記第５締結凹所８２１は、前記トップシャーシ６００の第３締結凹所６６１と、前記ボトムモールドフレーム５００の第２締結孔５２１と対応する位置にある。
【００９９】
前記フロントケース９００は一体に形成された第５乃至第８上部面９１０、９２０、９３０、９４０と、前記第５乃至第８上部面９１０、９２０、９３０、９４０の端部から各々延びる第９乃至第１２側壁面９５０、９６０、９７０、９８０とを備える。前記フロントケース９００が前記液晶表示モジュール７００を収納している前記リアケース８００と結合すると、前記第５乃至第８上部面９１０、９２０、９３０、９４０は前記トップシャーシ６００の第１乃至第４上部面６１０、６２０、６３０、６４０と接し、前記第９乃至第１２側壁面９５０、９６０、９７０、９８０は前記リアケース８００の第９乃至第１２側壁８１０、８２０、８３０、８４０と向き合う。
【０１００】
前記フロントケース９００には、前記第９側壁面９５０を貫通する第６締結凹所９５１と、前記第１０側壁面９６０を貫通する第７締結凹所９６１とが形成される。前記フロントケース９００に前記リアケース８００が収容された状態で、前記第６締結凹所９５１は前記リアケース８００の第４締結凹所８１１と、前記トップシャーシ６００の第２締結凹所６５１と、前記ゲート印刷回路基板２３０の第１締結凹所２３１と、前記ボトムモールドフレーム５００の第１締結孔５１１とに対応する位置にあり。また、前記第７締結凹所９６１は前記リアケース８００の第５締結凹所８２１と、前記トップシャーシ６００の第３締結凹所６６１と、前記ボトムモールドフレーム５００の第２締結孔５２１とに対応する位置にある。
【０１０１】
前記フロントケース９００、リアケース８００及び液晶表示モジュール７００は、第６締結孔９５１、第４締結凹所８１１、第２締結凹所６５１、第１締結凹所２３１及び第１締結孔５１１に順次締結される第３スクリュー９９１により結合される。また、前記フロントケース９００、リアケース８００及び液晶表示モジュール７００は前記第７締結凹所９６１、第５締結凹所８２１、第３締結凹所６６１及び第２締結孔５２１に順次締結される第４スクリュー９９２により結合される。
【０１０２】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１０３】
【発明の効果】
本発明の液晶表示装置によると、前記導光板の少なくとも一つの側面に一つ以上の固定凹所が形成され、前記収納容器に前記固定凹所と結合する一つ以上の固定突起が形成される。ここで、収納容器の側壁には前記固定突起が形成された領域に対応する位置に、外部ケースと締結するための一つ以上の締結孔が形成されている。
【０１０４】
前記固定突起は前記導光板を収納容器に固定すると同時に、前記締結孔を十分に長く確保できるようにする。したがって、液晶表示装置の組立性を向上させながら、全体のサイズを減少させることができる。
【図面の簡単な説明】
【図１】本発明の望ましい一実施形態による液晶表示装置を全体的に示した分解斜視図である。
【図２】図１に示したボトムモールドフレームの平面図である。
【図３】図１に示したボトムモールドフレームの斜視図である。
【図４】図２に示したボトムモールドフレームを切断線Ｉ−Ｉ′に切断した断面図である。
【図５】図１に示したボトムシャーシの平面図である。
【図６】図１に示したボトムシャーシの斜視図である。
【図７】ボトムモールドフレームがボトムシャーシに収納された状態を示した斜視図である。
【図８】図７に示した構造の背面図である。
【図９】図１に示した導光板の斜視図である。
【図１０】図９に示した導光板の背面図である。
【図１１】図１に示した光学シート類を具体的に示した斜視図である。
【図１２】図１に示した反射板を具体的に示した斜視図である。
【図１３】他の実施形態による反射板の構造を具体的に示した斜視図である。
【図１４】図７に示した構造に反射板及び導光板が収納された状態を示した平面図である。
【図１５】図１４に示した構造を切断線II−II′に切断した断面図である。
【図１６】図１４に示した構造を切断線III−III′に切断した断面図である。
【図１７】図１４に示した構造に光学シートが収納された状態を示した平面図である。
【図１８】図１７に示した構造を切断線IV−IV′に切断して示した断面図である。
【図１９】図１に示したトップモールドフレームの構造を具体的に示した平面図である。
【図２０】図１９に示した構造を切断線Ｖ−Ｖ′に切断して示した断面図である。
【図２１】図１６に示した構造にトップモールドフレームが固定された構造を示した平面図である。
【図２２】図２１に示した構造を切断線VI−VI′に切断して示した断面図である。
【図２３】図２１に示した構造を切断線VII−VII′に切断して示した断面図である。
【図２４】図２１に示した構造を切断線VIII−VIII′に切断して示した断面図である。
【図２５】図２１に示した構造にディスプレーユニットが配置された構造を示した平面図である。
【図２６】図２５に示した構造を切断線IX−IX′に切断した断面図である。
【図２７】ボトムシャーシの背面にデータ印刷回路基板が配置された状態を示した斜視図である。
【図２８】図２７に示した構造を切断線Ｘ−Ｘ′に切断して示した断面図である。
【図２９】図１に示したトップシャーシの平面図である。
【図３０】図１に示したトップシャーシの斜視図である。
【図３１】トップシャーシが提供された状態を示す断面図である。
【図３２】トップシャーシが提供された状態を示す断面図である。
【図３３】液晶表示モジュールとケースとの結合構造を示した斜視図である。
【図３４】図３３に示した構造を切断した断面図である。
【符号の説明】
１００    トップモールドフレーム
２００    ディスプレーユニット
３００    バックライトアセンブリ
３３０    導光板
３３１ａ    第１固定凹所
３３２ａ    第２固定凹所
４００    ボトムシャーシ
５００    ボトムモールドフレーム
５６０    第１固定突起
５７０    第２固定突起
６００    トップシャーシ
７００    液晶表示モジュール
８００    リアケース
９００    フロントケース
１０００    液晶表示装置
【図１】
0004230796.tif 000002
【図２】
0004230796.tif 000003
【図３】
0004230796.tif 000004
【図４】
0004230796.tif 000005
【図５】
0004230796.tif 000006
【図６】
0004230796.tif 000007
【図７】
0004230796.tif 000008
【図８】
0004230796.tif 000009
【図９】
0004230796.tif 000010
【図１０】
0004230796.tif 000011
【図１１】
0004230796.tif 000012
【図１２】
0004230796.tif 000013
【図１３】
0004230796.tif 000014
【図１４】
0004230796.tif 000015
【図１５】
0004230796.tif 000016
【図１６】
0004230796.tif 000017
【図１７】
0004230796.tif 000018
【図１８】
0004230796.tif 000019
【図１９】
0004230796.tif 000020
【図２０】
0004230796.tif 000021
【図２１】
0004230796.tif 000022
【図２２】
0004230796.tif 000023
【図２３】
0004230796.tif 000024
【図２４】
0004230796.tif 000025
【図２５】
0004230796.tif 000026
【図２６】
0004230796.tif 000027
【図２７】
0004230796.tif 000028
【図２８】
0004230796.tif 000029
【図２９】
0004230796.tif 000030
【図３０】
0004230796.tif 000031
【図３１】
0004230796.tif 000032
【図３２】
0004230796.tif 000033
【図３３】
0004230796.tif 000034
【図３４】
0004230796.tif 000035